(57)【特許請求の範囲】
【請求項１】
チェスト本体と、その内部に前面側から出し入れ自在に収容される引出しとからなるチェストにおいて、
前記チェスト本体の内部の側壁に、前記引出しの出し入れ方向に延在するとともに、前記引出しの側部に設けられたローラーを案内するフレーム側レールに沿って延在し、常時は前記ローラーと非接触状態であって、前記引出しが前記出し入れ方向に対して左右方向に傾いた際に前記ローラーが接触する突条部を設けたことを特徴とするチェスト。
【請求項２】
前記ローラーは前記引出しの荷重を支持するものであることを特徴とする請求項１記載のチェスト。
【請求項３】
前記ローラーが前記引出しの左右側部にそれぞれ設けられるとともに、前記突条部を前記チェスト本体の内部の左右側壁にそれぞれ設けたことを特徴とする請求項１又は２記載のチェスト。
【請求項４】
前記引出しの前記ローラーが、前記引出しの後方側の端部に設けられていることを特徴とする請求項１又は２，３記載のチェスト。
【請求項５】
前記突条部の端縁の断面形状を弧状としたことを特徴とする請求項１乃至４のいずれか１項に記載のチェスト。
【請求項６】
前記突条部におけるチェスト本体の前面側の端部を、チェスト本体の前面に向かうに従い高さが漸次減少するよう角を切り取った切取り形状としたことを特徴とする請求項１乃至５のいずれか１項に記載のチェスト。
【請求項７】
前記チェスト本体の内部の側壁における前記突条部の高さ位置を前記ローラーの回転中心よりも上方に設定したことを特徴とする請求項１乃至６のいずれか１項に記載のチェスト。
【請求項８】
前記チェスト本体の内部の側壁に、前記ローラーを収容するガイド溝を設け、そのガイド溝の内部に前記突条部を設けたことを特徴とする請求項１乃至７のいずれか１項に記載のチェスト。
【請求項９】
チェスト本体と、その内部に前面側から出し入れ自在に収容される引出しとからなるチェストにおいて、
前記チェスト本体の内部の側壁にローラーを設ける一方、前記引出しの側部に、引出しの出し入れ方向に延在するとともに前記ローラー案内する引出し側レールに沿って延在し、常時は前記ローラーと非接触状態であって、前記引出しが前記出し入れ方向に対して左右方向に傾いた際に前記ローラーが接触する突条部を設けたことを特徴とするチェスト。
【発明の詳細な説明】
【技術分野】
【０００１】
本発明は、衣類や小物などを収容するチェストに関する。
【背景技術】
【０００２】
従来、前面開口状の本体に引出しを収容するチェスト等の各種の収容ケースにおいては、出し入れ時の引出しの移動をスムーズに行えるよう、本体の内側の左右側壁に相対向して開口し、引出しの左右両側部をガイドする左右一対のガイド溝を設ける構成が知られている（例えば下記特許文献１参照）。
【０００３】
また、衣類等を収容するチェストのように、引出しの内部容量が比較的大きいものでは、物品を収納した状態では引出しの底部と本体側との間の摺動抵抗が大きくなるため、引出しの左右側部にローラーをそれぞれ設け、ローラーによって引出しの加重を支えることが一般に行われている。
【先行技術文献】
【特許文献】
【０００４】
【特許文献１】特開２００２−３２５６６４号公報
【発明の概要】
【発明が解決しようとする課題】
【０００５】
しかしながら、引出しにローラーが設けられている場合であっても、引出しの左右側部と本体との間にはある程度の隙間が存在するため、出し入れ作業時には引出しが出し入れ方向に対して左右方向に傾く（例えば手前側が左右に振れる）ことが許容されている。そのため、例えば収納量が多い状態において引出しを出し入れするとき、上記傾きの存在により引出しの左右側部が本体側と干渉することにより双方間に大きな摺動抵抗が生じ、引出しのスムーズな出し入れ作業が阻害されるという問題があった。
【課題を解決するための手段】
【０００６】
前記課題を解決するため請求項１の発明にあっては、チェスト本体と、その内部に前面側から出し入れ自在に収容される引出しとからなるチェストにおいて、前記チェスト本体の内部の側壁に、前記引出しの出し入れ方向に延在するとともに、前記引出しの側部に設けられたローラーを案内するフレーム側レールに沿って延在し、常時は前記ローラーと非接触状態であって、前記引出しが前記出し入れ方向に対して左右方向に傾いた際に前記ローラーが接触する突条部を設けたことを特徴とする。
【０００７】
かかる構成においては、引出しの出し入れに際し、それが出し入れ方向に対して左右方向に傾く場合には、ローラーが突条部に接することによりその軌道、すなわち引出しの傾きが修正される。しかも、突条部とローラーとの双方が線接触乃至は点接触となるため、そのとき双方間に生じる摩擦力を小さいものとすることができる。
【０００８】
また、請求項２の発明にあっては、前記ローラーは前記引出しの荷重を支持するものであるものとした。
【０００９】
かかる構成においては、ローラーの軌道修正による引出しの傾き修正が効率的に行われる。
【００１０】
また、請求項３の発明にあっては、前記ローラーが前記引出しの左右側部にそれぞれ設けられるとともに、前記突条部を前記チェスト本体の内部の左右側壁にそれぞれ設けたものとした。
【００１１】
かかる構成においては、ローラーの軌道修正が、引出しの傾き方向に応じて左右側部のいずれか一方において行われることにより、引出しの傾き修正が効率的に行われる。
【００１２】
また、請求項４の発明にあっては、前記引出しの前記ローラーが、前記引出しの後方側の端部に設けられているものとした。
【００１３】
また、請求項５の発明にあっては、前記突条部の端縁の断面形状を弧状としたものとした。
【００１４】
かかる構成においては、ローラーが突条部に接することによりその軌道、すなわち引出しの傾きが修正されるとき、突条部とローラーとの双方が点接触となるため、双方間に生じる摩擦力を極めて小さいものとすることができる。
【００１５】
また、請求項６の発明にあっては、前記突条部におけるチェスト本体の前面側の端部を、チェスト本体の前面に向かうに従い高さが漸次減少するよう角を切り取った切取り形状としたものとした。
【００１６】
かかる構成においては、チェスト本体から抜き出された引出しをチェスト本体に差し入れるとき、ローラーを突条部における前面側の端部に押し当てるだけで、ローラーの位置決め作業を容易に行うことができる。
【００１７】
また、請求項７の発明にあっては、前記チェスト本体の内部の側壁における前記突条部の高さ位置を前記ローラーの回転中心よりも上方に設定したものとした。
【００１８】
また、請求項８の発明にあっては、前記チェスト本体の内部の側壁に、前記ローラーを収容ガイド溝を設け、そのガイド溝の内部に前記突条部を設けたものとした。
【００１９】
また、請求項９の発明にあっては、チェスト本体と、その内部に前面側から出し入れ自在に収容される引出しとからなるチェストにおいて、前記チェスト本体の内部の側壁にローラーを設ける一方、前記引出しの側部に、引出しの出し入れ方向に延在するとともに前記ローラー案内する引出し側レールに沿って延在し、常時は前記ローラーと非接触状態であって、前記引出しが前記出し入れ方向に対して左右方向に傾いた際に前記ローラーが接触する突条部を設けたことを特徴とする。
【００２０】
かかる構成においては、引出しの出し入れに際し、それが出し入れ方向に対して左右方向に傾く場合には、突条部がローラーに接することにより引出しの傾きが修正される。しかも、突条部とローラーとの双方が線接触乃至は点接触となるため、そのとき双方間に生じる摩擦力を小さいものとすることができる。
【発明の効果】
【００２１】
本発明によれば、引出しの出し入れに際し、常時は非接触状態であるが、引出しが出し入れ方向に対して左右方向に傾く場合には、ローラーが突条部に接することによりその軌道、すなわち引出しの傾きが修正され、しかも、突条部とローラーとの双方が線接触乃至は点接触となるため、そのとき双方間に生じる摩擦力を小さいものとすることができるようにした。よって、引出し内の物品収納量が多い状態においても、常に良好な取り扱い性能を確保することが可能となる。
【００２２】
また、ローラーの軌道修正による引出しの傾き修正等を効率的に行わせることができる。
【００２３】
また、引出しの傾きが修正されるときの突条部とローラーとの双方を点接触とすることにより、双方間に生じる摩擦力を極めて小さいものとすることができる。
【００２４】
また、チェスト本体から抜き出された引出しをチェスト本体に差し入れるとき、ローラーを突条部における前面側の端部に押し当てるだけで、ローラーの位置決め作業を容易に行うことができ、使い勝手を向上させることができる。
【００２５】
また、チェスト本体から抜き出された引出しをチェスト本体に差し入れるとき、一対のローラーを突条部における前面側の端部に押し当てるだけで、一対のローラーの位置決め作業を容易に行うことができるようにした。よって使い勝手を向上させることができる。
【００２６】
また、引出しの出し入れに際し、常時は非接触状態であるが、引出しが出し入れ方向に対して左右方向に傾く場合には、突条部がローラーに接することにより引出しの傾きが修正され、しかも、突条部とローラーとの双方が線接触乃至は点接触となるため、そのとき双方間に生じる摩擦力を小さいものとすることができるようにした。よって、引出し内の物品収納量が多い状態においても、常に良好な取り扱い性能を確保することが可能となる。
【図面の簡単な説明】
【００２７】
【図１】本発明に係るチェストの正面を示す一部断面図である。
【図２】同実施の形態の側面図である。
【図３】同実施の形態の要部を示す一部断面図である。
【図４】同実施の形態のフレームを示す断面図である。
【図５】同実施の形態のフレームの要部を示す断面図である。
【図６】同実施の形態のフレームの要部を示す平面図である。
【図７】同実施の形態のフレーム構成部材の要部を示す図であり、（ａ）は支柱の取付部部分を示す断面図であり、（ｂ）は取付部に支持部品を取り付けた状態を示す側面図である。
【図８】同実施の形態の要部を示す断面図である。
【図９】同実施の形態の引出し側レールを示す図で、（ａ）は平面図であり、（ｂ）は側面図である。
【図１０】同実施の形態の動作を示す説明図である。
【図１１】図１０に続く動作を示す説明図である。
【発明を実施するための形態】
【００２８】
以下、本発明の一実施の形態を図にしたがって説明する。図１は、本発明に係るチェスト１を示す図であり、該チェスト１は、衣類や小物などを収納するものである。
【００２９】
このチェスト１は、図２にも示すように、フレーム１１を形成するチェスト本体１２と、該チェスト本体１２に、前面側から出し入れ自在に収容された矩形容器状の引出し１３，１３とによって構成されている。
【００３０】
前記チェスト本体１２を形成する前記フレーム１１は、上下に連結された二つ合成樹脂製のフレーム構成部材２１，２１（図２）によって構成されており、下段のフレーム構成部材２１の底面２２裏側には、キャスター２３，・・・が四隅に設けられている。上段のフレーム構成部材２１には、合成樹脂製の天板２４が設けられており、両フレーム構成部材２１，２１間及び上段のフレーム構成部材２１と前記天板２４間には、合成樹脂製の前記引出し１３，１３が引き出し自在に保持されている。
【００３１】
前記フレーム構成部材２１は、図３及び図４に示すように、中央部に矩形開口部３１が形成された長方形状の底板部３２と、該底板部３２の四隅に一体形成された支柱３３，・・・とによって構成されており、当該フレーム構成部材２１は、前記支柱３３，・・・の長さ方向に型開きされる金型によって形成されている。
【００３２】
該支柱３３は、四角柱状に形成されており、図４に示したように、前記底板部３２に起立した支柱本体４１と、該支柱本体４１の上端部に設けられた挿入部４２とによって一体形成されている。該挿入部４２は、前記支柱本体４１より小径に形成されており、前記挿入部４２が起立した前記支柱本体４１の上端には、段差部４３が形成されている。下段のフレーム構成部材２１の支柱３３の挿入部４２は、図３に示したように、上段のフレーム構成部材２１の支柱３３下部に挿入された状態で固定されており、上段のフレーム構成部材２１の支柱３３の挿入部４２は、前記天板２４に挿入された状態で固定されている。
【００３３】
前記フレーム構成部材２１における前後の支柱３３，３３間には、図４及び図５に示すように、フレーム側レール５１が設けられている。
【００３４】
すなわち、両支柱３３，３３間には、下部側壁面６１（左右側壁）が両支柱３３，３３の下部に一体形成されており、該下部側壁面６１には、前記引出し１３の出し入れ方向に延在する内側へ向けて突出した上方ガイド部６２が当該フレーム構成部材２１の前記底板部３２の底面２２に沿って形成されている。これにより、当該フレーム構成部材２１には、前記上方ガイド部６２と、該上方ガイド部６２に対向した前記底板部３２の対向部位に膨出形成された下方ガイド部６３とによって、チェスト本体１２内部の左右側壁に相対向して開口するガイド溝６４を形成する前記フレーム側レール５１が構成されている。
【００３５】
前記上方ガイド部６２は、図６に示したように、前記下部側壁面６１より延出した板状のガイド部本体７１と、該ガイド部本体７１の先端部に一体形成されたリブ７２とによって構成されている。該リブ７２は、前記下方ガイド部６３と対向する前記ガイド部本体７１の下面７３の逆側面を構成する前記上面７４に形成されており、当該ガイド部本体７１の延出方向と直交する直交方向へ向けて立設され、補強されている。
【００３６】
前記上方ガイド部６２は、図５に示したように、その奥側を構成する後端部が切欠されており、欠損した後方切欠部８１が形成されている。これにより、当該上方ガイド部６２は、奥側の支柱３３より手前側で終了するように構成されている。また、前記上方ガイド部６２は、その手前側を構成する前端部も切欠されており、欠損した前方切欠部８２が形成されている。これにより、当該上方ガイド部６２は、手前側の支柱３３より奥側で終了するように構成されている。
【００３７】
また、前記ガイド溝６４の内部には、他方側のガイド溝６４に向かい突出するとともに、上方ガイド部６２と平行にガイド溝６４に沿って延在し、その端縁の断面形状が弧状（図示したものは円弧）であるガイド片（突条部）６５が形成されている。ガイド片６５は、そのガイド溝６４の内部における高さ位置を、後述するように引出し１３の左右側部に設けられるとともにガイド溝６４に収容される引出し側ローラー１７５の回転中心Ｏよりも上方に設定されている。また、ガイド片６５の突出寸法は前記上方ガイド部６２の略半分程度であって、その突出寸法が、その端縁を前記引出し側ローラー１７５に近接させる寸法に設定されている。
【００３８】
そして、図５に示したように、ガイド片６５の前端部６５ａ及び後端部６５ｂは、チェスト本体１２の前方又は後方へ向かうに従い高さが漸次減少するよう角を切り取った切取り形状に形成されている。
【００３９】
また、上述したフレーム構成部材２１の支柱３３，３３の内側面には、内側に突出した突出部９１，９１が上端部から下端に渡って形成されており、前方Ｆ側に配置された支柱３３における前記突出部９１は、下端部において前方に延出している。この前方に突出した前方突出部９２には、図７にも示すように、上下に延在する溝状の取付部９３が形成されており、該取付部９３は、図４に示したように、当該フレーム構成部材２１を形成する金型の金型移動方向９４に延在するとともに、当該金型が型抜き時に移動される方向と同方向である上方へ向けて開口するように構成されている。
【００４０】
この取付部９３は、図８に示したように、前記突出部９１に開口した幅狭部１０１と、該幅狭部１０１の奥側に設けられた幅広部分１０２とによって構成されている。これにより、前記幅狭部１０１の両脇には、当該幅狭部１０１の内側に突出した突片１０３，１０３が形成されている。
【００４１】
この取付部９３の上方開口部からは、支持部を構成する支持部品１１１が挿入された状態で固定されるように構成されている。
【００４２】
この支持部品１１１を構成するベース部材１２１は、合成樹脂によって形成されており、当該ベース部材１２１には、金属製のフレーム側ローラー１２２が回動自在に支持されている。これにより、この支持部品の前記ベース部材１２１を、図４に示したように、前記取付部９３に固定した状態で、前記フレーム側ローラー１２２を前記フレーム側レール５１の延長上に配置できるように構成されている。
【００４３】
一方、フレーム構成部材２１の左右の支柱３３，・・・間に保持される前記引出し１３は、合成樹脂によって形成されており、図８に示したように、上方が開口した矩形容器状に形成されている。この引出し１３は、上下方向に型開きされる金型によって成形されており、左右の側面１５１，１５１の横幅寸法及び前面１５２並びに後面１５３の奥行き寸法は、抜き勾配によって底面１５４側へ下方へ向かうに従って小さくなるように形成されている。これにより、対向した左右の側面１５１，１５１と、対向した前面１５２及び後面１５３は傾斜するとともに、内径寸法が上方へ向かうに従って広がるように設定されており、引出し１３，１３同士を重ねて保管できるように構成されている。
【００４４】
この引出し１３には、各側面１５１，１５１の下部に引出し側レール１６１が固定されており、該引出し側レール１６１は前記フレーム１１より硬質の金属によって構成されている。
【００４５】
この引出し側レール１６１は、図９に示したように、レール側壁面１７１とレール天面１７２とからなる断面Ｌ字状に形成されており、前記レール側壁面１７１には、前記引出し１３と係合する係止部としての係止爪１７４が複数箇所に切り起こされている。各係止爪１７４は、Ｌ字状に形成されており、当該係止爪１７４は、上方へ向けて延出している。
【００４６】
前記レール側壁面１７１の端部には、引出し側ローラー１７５が回転自在に支持されており、該引出し側ローラー１７５が位置する前記レール天面１７２の端部には、前記引出し側ローラー１７５の上部を突出させる為の切欠部１７６が設けられている。
【００４７】
これにより、図１０に示すように、前記引出し１３より側方に突出した前記引出し側ローラー１７５が、前記フレーム構成部材２１に設けられた前記フレーム側レール５１によって形成されたガイド溝６４内を前記ガイド片６５によって案内される一方、前記引出し側レール１６１が、前記フレーム構成部材２１に設けられたフレーム側ローラー１２２によって案内されるように構成されている。
【００４８】
そして、前記フレーム１１から前記引出し１３を前方Ｆ側へ引き出す際には、前記フレーム構成部材２１に設けられた前記フレーム側ローラー１２２が前記引出し１３に設けられた前記引出し側レール１６１の前記レール天面１７２を支持する一方、前記引出し１３が当該引出し１３の荷重によって前のめりになった際には、該引出し１３に設けられた前記引出し側ローラー１７５が前記フレーム構成部材２１に形成された前記フレーム側レール５１の前記上方ガイド部６２に支持されるように構成されている（図示省略）。
【００４９】
さらに、前記引出し１３を引き出した際には、図１１に示すように、前記引出し側ローラー１７５が前記フレーム側レール５１の前方切欠部８２から離脱することによって、当該引出し１３をチェスト本体１２から取り出せるように構成されている。
【００５０】
そして、以上の構成からなる本実施の形態においては、引出し１３の出し入れに際して引出し１３を前方Ｆ側及び後方Ｒ側へ移動させるとき、引出し１３が出し入れ方向に対して左右方向へ傾くと、その傾き方向に応じて、引出し１３の後部側の左右側部で荷重を支える引出し側一対のローラー１７５のうちの一方側が、ガイド溝６４内部のガイド片６５に適宜摺接することにより、その軌道を直接的に修正される。つまり引出し１３の傾き状態が効率よく矯正される。しかも、その際にはガイド片６５と引出し側ローラー１７５は点接触であるため、双方間に生じる摩擦力が極めて小さい。
【００５１】
したがって、例えば収納量が多い状態で引出し１３を出し入れする場合であっても、常に引出しをスムーズに出し入れすることができる。
【００５２】
また、チェスト本体１２から抜き出された引出し１３をチェスト本体１２に差し入れるときには、左右の引出し側ローラー１７５を、左右のガイド片６５の前端部６５ａに押し当てるだけで、左右の引出し側ローラー１７の位置決め作業を容易に行うことができる。
【００５３】
したがって、抜き出された引出し１３をチェスト本体１２に差し入れる際の使い勝手も良好である。
【００５４】
なお、本実施の形態では、引出し１３の左右側部であって、その後方側の端部のみに引出し側ローラー１７５を設けたものを示したが、これに限らず、本発明は、例えば前述したフレーム側ローラー１２２が廃止されるとともに、引出し１３の前方側及び後方側の端部の左右側部にローラーが設けられ、それらによって引出し１３の荷重が支持される構成のチェストにも適用することができる。さらには、引出し側ローラー１７５が引出し１３の左右側部のいずれか一方のみに設けられている構成であっても適用できる。
【００５５】
また、例えばチェスト本体１２に前述したフレーム側レール５１やガイド溝６４を設けない構成であっても、本実施の形態で示したようなガイド片６５を設ければ、それによる引出し側ローラー１７５の軌道修正機能により引出し１３の傾き状態を効率よく矯正することができる。
【００５６】
また、本実施の形態では、ガイド片６５を設ける高さ位置を引出し側ローラー１７５の回転中心より上方側としたものを示したが、ガイド片６５の高さ位置は必要に応じ適宜変更することができる。
【００５７】
また、本実施の形態では、引出し側ローラー１７５のほぼ全体がガイド溝６４の内部に収容されるものを示したが、引出し側ローラー１７５の一部がガイド溝６４に収容される構成であっても構わない。
【００５８】
また、図示しないが、前述した引出し側ローラー１７５とガイド片６５との関係を逆転させた構造、例えばチェスト本体１２の前後方向の中程に、前記フレーム側ローラー１２２とは別に、前記引出し側レール１６１の前記レール天面１７２を支持する他のローラーを設ける一方、前記引出し側レール１６１に、その端縁が上記の各ローラーに近接するように突出するとともに前記レール天面１７２に平行して前後方向に延在する、前記ガイド片６５に相当する当接片を設ける構成としてもよい。
【００５９】
その場合には、引出し１３が出し入れ方向に対して左右方向へ傾くと、その傾き方向に応じて、引出し１３側の上記当接片がチェスト本体１２側の上記の各ローラーに適宜当接することにより、引出し１３がその傾き状態を矯正される。しかもそのとき生じる摩擦力は極めて小さいことから、その場合においても前述した実施の形態と同様の効果を得ることができる。
【符号の説明】
【００６０】
１    チェスト
１１    フレーム
１２    チェスト本体
１３    引出し
２２    底面
５１    フレーム側レール
６１    下部側壁面
６２    上方ガイド部
６３    下方ガイド部
６４    ガイド溝
６５    ガイド片
６５ａ  （ガイド片の）前端部
６５ｂ  （ガイド片の）後端部
１５１    （引出しの）側面
１６１    引出し側レール
１７１    レール側壁面
１７５    引出し側ローラー
Ｏ    （引出し側ローラーの）回転中心
【図１】
0005432206.tif 000002
【図２】
0005432206.tif 000003
【図３】
0005432206.tif 000004
【図４】
0005432206.tif 000005
【図５】
0005432206.tif 000006
【図６】
0005432206.tif 000007
【図７】
0005432206.tif 000008
【図８】
0005432206.tif 000009
【図９】
0005432206.tif 000010
【図１０】
0005432206.tif 000011
【図１１】
0005432206.tif 000012